(57)【要約】【課題】複雑な形状の色彩ガラス片をステンドグラスから切り出すにはそれなりのコツや要領を必用としていた。【解決手段】回転軸５を回転ドラム４の中心に貫通させて両者を一体化した回転体１８とする。回転軸５を設置台１上の支持板Ａ２，Ｂ３の孔に貫通させて回転自在とする。回転ドラム４の回転方向と桿９の一端に設置されているカッタ２１の回転方向とを一致させ、回転ドラム４と付勢されているカッタ部１１とでステンドグラス２６を挟持する。回転ドラム４の回転により移動するステンドグラス２６の移動方向を変えてステンドグラス２６に任意の形状の切りキズをつける。【選択図】　　　　図１
2004002129.tif 000002
【特許請求の範囲】
【請求項１】
ステンドグラスを任意の形状にカットするステンドグラスカッタ装置において、
回転ドラム（４）の中心部に回転軸（５）を貫通させて一体化した回転体（１８）を形成し、
回転ドラム（４）の両側から出ている回転軸（５）を設置台（１）上の支持板Ａ，Ｂ（２，３）の孔に貫通させて回転体（１８）を回転自在とし、
回転体（１８）の回転方向とカッタ（２１）の回転方向とを一致させ、
回転ドラム（４）上に載置したステンドグラス（２６）を切断具（１１）で圧接し、
回転ドラム（４）の回転により移動するステンドグラス（２６）の移動方向を変え、
圧接した切断具（１１）のカッタ（２１）でステンドグラス（２６）に任意の形状の切りキズをつけるように構成したことを特徴とするステンドグラスカッタ装置。
【発明の詳細な説明】
【０００１】
【発明の属する技術分野】
本発明は、ステンドグラスカッタ装置に関し、特に容易に任意の形状にステンドグラスを切断するために使用するステンドグラスカッタ装置に関する。
【０００２】
【従来の技術】
一般に、装飾用のステンドグラス製品は複雑な形状の色彩ガラス片が用いられている。複雑な形状の色彩ガラス片をステンドグラスから切り出すにはそれなりのコツや要領が必用となる。
【０００３】
特に初心者にとっては、ガラスの角や破片により、または切断具が滑ったりして手や指を切るのではないか、との危惧がある。さらに、切断具のカッタでガラスに切りキズを付けた後、ガラスを軽く叩いたり、軽く折り曲げて切断する場合に予想しない箇所で破断するのではないかとの危惧もある。
【０００４】
【発明が解決しようとする課題】
従って、切断具のカッタがグラス面に垂直でない状態で切断具に力を入れて切断具を滑らしたり、さらに、グラス面に施されたカッタによる切りキズが不連続、あるいは浅いのにグラスを叩いて破損させたりする、という課題があった。
【０００５】
本発明はこのような点に鑑みてなされたものであり、初心者や力のない子女でも安心して複雑な形状の色彩ガラス片をステンドグラスから切り出せるようにしたステンドグラスカッタ装置を提供することを目的とする。
【０００６】
【課題を解決するための手段】
上記課題を解決するために本発明のステンドグラスカッタ装置は、ステンドグラスを任意の形状にカットするステンドグラスカッタ装置において、回転ドラム４の中心部に回転軸５を貫通させて一体化した回転体１８を形成し、回転ドラム４の両側から出ている回転軸５を設置台１上の支持板Ａ２，Ｂ３の孔に貫通させて回転体１８を回転自在とし、回転体１８の回転方向とカッタ２１の回転方向とを一致させ、回転ドラム４上に載置したステンドグラス２６を切断具１１で圧接し、回転ドラム４の回転により移動するステンドグラス２６の移動方向を変え、圧接した切断具１１のカッタ２１でステンドグラス２６に任意の形状の切りキズをつけるように構成したことに特徴を有している。
【０００７】
【発明の実施の形態】
本発明のステンドグラスカッタ装置は、適切に調整した圧力で付勢されている切断具１１のカッタ２１によりステンドグラスに任意形状の切りキズを付ける。従って、ステンドグラスには、ほぼ一定の幅，深さの切りキズと垂直方向のひびが生じる。ステンドグラスに任意形状の切りキズを付ける作業工程の後は、ステンドグラスをステンドグラスカッタ装置から外し、ガラスを軽く叩いたり、軽く折り曲げることにより、任意形状のステンドグラス片を容易に取り出すことができる。
【０００８】
【実施例】
以下、本発明の一実施例を図１〜３に基づいて説明する。図１は、本発明の一実施例におけるステンドグラスカッタ装置の構成側面図である。図において、１は設置台、２は支持板Ａ、３は支持板Ｂ、４は回転ドラム、５は回転軸、６は把手Ａ、７は側板Ａ、８は側板Ｂ、９は桿、１０はバネ固定金具Ａ、１１は切断具、１２は把手Ｂ、１３はコの字型金具の桿ストッパ、１４は支点、１６はバネ固定金具Ｂ、１７はバネ材、１８は回転体、２１は切断具１１のカッタ、２２は繊維体、２３はカッタヘッド、２４はホルダ、２５はオイル、２６はステンドグラスである。
【０００９】
次に、構成について説明する。支持板Ａ２，支持板Ｂ３，側板Ａ７，側板Ｂ８をネジで設置台１に取り付ける。回転軸５を硬質ゴム等から成る回転ドラム４の中心部を貫通させて一体化した回転体１８を形成する。回転体１８の両側から出ている回転軸５の短い方を支持板Ａ２，長い方を支持板Ｂ３の貫通孔（図示せず）に通して回転体１８を回転自在に支持する。さらに、回転軸５の長い方の端に把手Ａ６を空回りしないように確り取り付ける。
【００１０】
桿９の一端近傍に切断具１１を取り付ける。カッタ２１の回転方向は回転ドラム４の回転方向に一致させる。桿９の他端近傍に把手Ｂ１２とバネ固定金具Ａ１０を取り付ける。
桿ストッパ１３を側板Ａ７，側板Ｂ８を挟み込むように被せてネジとナットで固定する。この際、側板Ａ７，側板Ｂ８間の間隔と同じ寸法のカラーをはめ込めば側板相互の間隔の保持と桿９の下方へのストッパの役目を果たすことになる。さらに、ネジの貫通孔を楕円形状にすれば、ストッパの位置を調整することができる。また、桿ストッパ１３の上部に位置するネジを回すことにより桿９の上方へのストッパの位置を調整することができる。
【００１１】
バネ固定金具Ｂ１６を側板Ａ７，側板Ｂ８を挟み込むように被せてネジとナットで固定する。バネ固定金具Ｂ１６の形状は後述の図３においてさらに詳細に説明する。桿９の支点は桿９の略中央に設けている。バネ材１７はバネ固定金具Ａ１０とバネ固定金具Ｂ１６間にはめ込まれている。図に示すようにバネの弾力により桿９の把手Ｂ１２側には上方へ持ち上げようとする力が働いている。
【００１２】
図２は、本発明のステンドグラスカッタ装置で使用される切断具の断面図である。図において、２２は繊維体、２３はカッタヘッド、２４はホルダ、２５はオイルである。ホルダ２４に蓄えられているオイル２５は細管を伝わって繊維体２２に達する。繊維体２２にしみ込んだオイル２５は適度にカッタ２１を湿らし、発熱，摩擦等から生じるカッタ２１の磨耗を防ぐ。
【００１３】
図３は、本発明のステンドグラスカッタ装置で使用されるバネ固定金具Ｂの詳細図である。（ａ）はバネ固定金具Ｂの拡大図、（ｂ）はバネ固定金具Ｂの拡大展開図である。拡大展開図において、破線部分を内側に折り曲げるとバネ固定金具Ｂ１６となる。
【００１４】
続いて、動作について説明する。装置を使用していないときは、切断具１１のカッタ２１は軽く回転ドラム４に接している。装置を使用するときは、▲１▼把手Ｂ１２を押さえて桿ストッパ１３の下方ストッパまで桿９を押し下げて、回転ドラム４と切断具１１のカッタ２１との間に隙間をつくる。▲２▼カットを始める位置がカッタ２１の下にくるようにステンドグラス２６を回転ドラム４上に載置する。▲３▼把手Ｂ１２から手を離す。カッタ２１は適度な圧力でステンドグラス２６面上のカットを始める位置を押さえることになる。
【００１５】
▲４▼例えば、把手Ａ６を適度なスピードで左回りに回す。▲５▼必用に応じて▲４▼に連動させながらステンドグラス２６のカット方向を変えるためにカッタ２１を軸としてステンドグラス２６を左または右に動かす（「請求項１記載の「回転ドラム４の回転により移動するステンドグラス２６の移動方向を変え」の説明である」）。▲６▼カットを始める位置を再設定する時やカットを終えるときは▲１▼となる。▲７▼カッタ２１による切りキズは連続であり、カットの始点と終点がステンドグラス２６の端以外では、カットの始点と終点は一致する。
【００１６】
【発明の効果】
以上説明したように、本発明によるステンドグラスカッタ装置は、ステンドグラスを任意の形状にカットするステンドグラスカッタ装置において、回転ドラム４の中心部に回転軸５を貫通させて一体化した回転体１８を形成し、回転ドラム４の両側から出ている回転軸５を設置台１上の支持板Ａ２，Ｂ３の孔に貫通させて回転体１８を回転自在とし、回転体１８の回転方向とカッタ２１の回転方向とを一致させ、回転ドラム４上に載置したステンドグラス２６を切断具１１で圧接し、回転ドラム４の回転により移動するステンドグラス２６の移動方向を変え、圧接した切断具１１のカッタ２１でステンドグラス２６に任意の形状の切りキズをつけるように構成したので、
初心者や力のない子女でも安心して複雑な形状の色彩ガラス片をステンドグラスから切り出すことができる。
【図面の簡単な説明】
【図１】本発明の一実施例におけるステンドグラスカッタ装置の構成側面図である。
【図２】本発明のステンドグラスカッタ装置で使用される切断具の断面図である。
【図３】本発明のステンドグラスカッタ装置で使用されるバネ固定金具Ｂの詳細図であり、（ａ）はバネ固定金具Ｂの拡大図、（ｂ）はバネ固定金具Ｂの拡大展開図である。
【符号の説明】
１　設置台
２　支持板Ａ
３　支持板Ｂ
４　回転ドラム
５　回転軸
６　把手Ａ
７　側板Ａ
８　側板Ｂ
９　桿
１０　バネ固定金具Ａ
１１　切断具
１２　把手Ｂ
１３　桿ストッパ
１４　支点
１６　バネ固定金具Ｂ
１７　バネ材
１８　回転体
２１　カッタ
２２　繊維体
２３　カッタヘッド
２４　ホルダ
２５　オイル
２６　ステンドグラス
【図１】
2004002129.tif 000003
【図２】
2004002129.tif 000004
【図３】
2004002129.tif 000005